(57)【要約】【課題】前面衝突時にモータからワイヤハーネスを保護することができる車両前部構造を得る。【解決手段】車両前部構造は、ダッシュパネル２６よりも車両前方側に配置されたモータ２０と、モータ２０とバッテリ３４とを電気的に接続すると共に、ダッシュパネル２６の前面に沿って配索されたワイヤハーネス３８と、モータ２０よりも車両後方側でワイヤハーネス３８を挟んで左右に設けられた一対の補強部材３６、３７と、を有する。【選択図】図３
2020026220.tif 000002
【特許請求の範囲】
【請求項１】
ダッシュパネルよりも車両前方側に配置されたモータと、
前記モータとバッテリとを電気的に接続すると共に、前記ダッシュパネルの前面に沿って配索されたワイヤハーネスと、
前記モータよりも車両後方側で前記ワイヤハーネスを挟むように左右に設けられた一対の補強部材と、
を有する車両前部構造。
【請求項２】
一対の前記補強部材の少なくとも一方は、前記ダッシュパネルに沿って車両上下方向に延在され、前記ダッシュパネルとで閉断面を構成するダッシュリインフォースメントである請求項１に記載の車両前部構造。
【請求項３】
一対の前記補強部材は、前記ダッシュパネルに対して車両前方側へ同じ突出量とされている請求項１又は２に記載の車両前部構造。
【発明の詳細な説明】
【技術分野】
【０００１】
本発明は、車両前部構造に関する。
【背景技術】
【０００２】
特許文献１には、車両前部にモータを含む走行装置が設けられ、車両の床下にバッテリが配置された構造が開示されている。また、特許文献１では、バッテリケースの外周部にバッテリリインフォースメントが設けられており、このバッテリリインフォースメントにおいてワイヤハーネスが接続される結線部に、凸部が設けられている。これにより、前面衝突時にサスペンションメンバが車両後方側へ移動した場合であっても、サスペンションメンバに凸部が接触することで、結線部の損傷を回避又は抑制する構造となっている。
【先行技術文献】
【特許文献】
【０００３】
【特許文献１】特開２０１７−１９７０１８号公報
【発明の概要】
【発明が解決しようとする課題】
【０００４】
しかしながら、上記特許文献１に記載の構造では、サスペンションメンバよりも車両上方側に設けられたモータとワイヤハーネスとの干渉については考慮されておらず、前面衝突時にモータとワイヤハーネスとの干渉を抑制する観点で改善の余地がある。
【０００５】
本発明は上記事実を考慮し、前面衝突時にモータからワイヤハーネスを保護することができる車両前部構造を得ることを目的とする。
【課題を解決するための手段】
【０００６】
請求項１に記載の車両前部構造は、ダッシュパネルよりも車両前方側に配置されたモータと、前記モータとバッテリとを電気的に接続すると共に、前記ダッシュパネルの前面に沿って配索されたワイヤハーネスと、前記モータよりも車両後方側で前記ワイヤハーネスを挟んで左右に設けられた一対の補強部材と、を有する。
【０００７】
請求項１に記載の車両前部構造では、ダッシュパネルよりも車両前方側にモータが配置されており、このモータとバッテリとがワイヤハーネスで電気的に接続されている。また、ワイヤハーネスは、ダッシュパネルの前面に沿って配索されており、モータよりも車両後方側には、ワイヤハーネスを挟むように左右に一対の補強部材が設けられている。このように、左右に一対の補強部材を設けることで、ダッシュパネルを補強することができる。
【０００８】
また、ワイヤハーネスを挟むように一対の補強部材が設けられているため、前面衝突時にモータが車両後方側へ移動した場合であっても、一対の補強部材でモータを受けることができる。この結果、モータとダッシュパネルとの間に空間を確保することができる。
【０００９】
請求項２に記載の車両前部構造は、請求項１において、一対の前記補強部材の少なくとも一方は、前記ダッシュパネルに沿って車両上下方向に延在され、前記ダッシュパネルとで閉断面を構成するダッシュリインフォースメントである。
【００１０】
請求項２に記載の車両前部構造では、ダッシュリインフォースメントによってダッシュパネルの剛性を向上させることができる。
【００１１】
請求項３に記載の車両前部構造は、請求項１又は２において、一対の前記補強部材は、前記ダッシュパネルに対して車両前方側へ同じ突出量とされている。
【００１２】
請求項３に記載の車両前部構造では、一対の補強部材の車両前方側への突出量が同じ突出量とされている。これにより、前面衝突時に一対の補強部材とモータとが接触するタイミングを略同じタイミングとすることができる。この結果、衝突荷重を一対の補強部材に分散させることができる。また、一方の補強部材が先に接触することによるモータの平面視での回動を抑制することができる。なお、ここでいう「同じ突出量」とは、一対の補強部材の突出量が厳密に一致している構造に限定されるものではない。すなわち、補強部材とモータとが接触するタイミングとが大きくずれない範囲で僅かに両者の突出量が異なる構造を広く含む概念である。
【発明の効果】
【００１３】
以上説明したように、請求項１に記載の車両前部構造によれば、前面衝突時にモータからワイヤハーネスを保護することができる。
【００１４】
請求項２に記載の車両前部構造によれば、前面衝突時にダッシュパネルが変形してキャビンへ進入するのを抑制することができる。
【００１５】
請求項３に記載の車両前部構造によれば、一対の補強部材の突出量が異なる構造と比較して、ワイヤハーネスを効果的に保護することができる。
【図面の簡単な説明】
【００１６】
【図１】実施形態に係る車両前部構造の要部を示す斜視図である。
【図２】実施形態に係る車両前部構造の要部を示す平面図であり、前面衝突前の通常の状態を示す図である。
【図３】実施形態に係る車両前部構造の要部を示す平面図であり、前面衝突前時の状態を示す図である。
【発明を実施するための形態】
【００１７】
実施形態に係る車両前部構造について、図面を参照して説明する。なお、各図に適宜記す矢印ＦＲ、矢印ＵＰ及び矢印ＲＨは、シートの前方向、上方向及び右方向をそれぞれ示している。以下、単に前後、上下、左右の方向を用いて説明する場合は、特に断りのない限り、シート前後方向の前後、シート上下方向の上下、シート前方向を向いた場合の左右を示すものとする。
【００１８】
図１に示されるように、本実施形態に係る車両前部構造が適用された車両１０の前部には、左右一対のフロントサイドメンバ１２が設けられている。フロントサイドメンバ１２はそれぞれ車両前後方向に延在されており、押出成形やプレス加工などによって形成された閉断面構造の骨格部材とされている。
【００１９】
フロントサイドメンバ１２の前端部は、バンパリインフォースメント１４に接続されている。バンパリインフォースメント１４は、車両幅方向に延在されたバンパ本体部１４Ａと、このバンパ本体部１４Ａの両端部の後面から車両後方側へ延出された接続部１４Ｂとを含んで構成されている。そして、接続部１４Ｂには、フロントサイドメンバ１２の前端部が接続されている。
【００２０】
バンパリインフォースメント１４の車両後方側には、熱交換器であるラジエータ１８が設けられている。ラジエータ１８は、バンパ本体部１４Ａにおける車両幅方向中央部の車両後方側に配置されており、図示しない冷媒との間で熱交換を行うことができるように構成されている。
【００２１】
フロントサイドメンバ１２の後端部は、連結部材１６に接続されている。図２に示されるように、連結部材１６は、後端部が前端部よりも広幅に形成されており、この連結部材１６の後端部がダッシュパネル２６に接合されている。このため、フロントサイドメンバ１２の後端部は、連結部材１６を介してダッシュパネル２６に連結されている。
【００２２】
ダッシュパネル２６は、車両前後方向を板厚方向として車両上下方向及び車両幅方向に延在されており、このダッシュパネル２６によって車両後方側の車室内（キャビン）と車両前方側のパワーユニット室とが区画されている。
【００２３】
ダッシュパネル２６における車両幅方向の両端部には、ロッカ２８が接続されている。ロッカ２８は、車両前後方向に延在された閉断面構造の骨格部材であり、左右に一対設けられている。そして、これらのロッカ２８の前端部がダッシュパネル２６に接続されている。
【００２４】
左右のロッカ２８の間にはバッテリユニット３０が配置されている。バッテリユニット３０は、車両１０の床下に配置されており、外殻となるバッテリケース３２と、このバッテリケース３２の内部に搭載されたバッテリ３４とを含んで構成されている。
【００２５】
ここで、ダッシュパネル２６の前面（車両前方側の面）には、補強部材としてのダッシュリインフォースメント３６（以下、適宜「ダッシュＲＦ３６」と称する。）及びダッシュリインフォースメント３７（以下、適宜「ダッシュＲＦ３７」と称する。）が設けられている。ダッシュＲＦ３６及びダッシュＲＦ３７についての詳細は後述する。
【００２６】
ダッシュパネル２６の前面側には、ワイヤハーネス３８が配索されている。ワイヤハーネス３８は、モータ２０とバッテリ３４とを電気的に接続して電力を供給するように構成された高電圧用のワイヤハーネスであり、ダッシュパネル２６に沿って車両上下方向に延在されている（図１参照）。
【００２７】
また、ワイヤハーネス３８は、ダッシュＲＦ３６及びダッシュＲＦ３７の間に配索されており、本実施形態では車両１０における車両幅方向の中央に配索されている。さらに、ワイヤハーネス３８は、図示しないクリップなどの取付部材によってダッシュパネル２６に固定されており、走行中にダッシュパネル２６や周辺部品と干渉するのを抑制している。
【００２８】
ダッシュパネル２６よりも車両前方側には、トランスアクスル１９が配置されている。トランスアクスル１９は、主として、モータ２０と、減速機構２２と、ディファレンシャルギア２４とを含んで構成されている。
【００２９】
モータ２０は、電力が供給されることで駆動して前輪及び後輪の少なくとも一方を回転させる駆動源である。また、モータ２０は、フロントサイドメンバ１２よりも車両下方側に配置された図示しないサスペンションメンバに支持されている。
【００３０】
モータ２０には減速機構２２が連結されている。減速機構２２は、カウンターギアやファイナルギアなどの複数のギアを備えており、この減速機構２２にディファレンシャルギア２４が連結されている。すなわち、ディファレンシャルギア２４は、減速機構２２を介してモータ２０に連結されている。
【００３１】
ここで、本実施形態のディファレンシャルギア２４は、トランスアクスル１９の前部側に設けられている。このため、ディファレンシャルギア２４は、モータ２０よりも車両前方側へ突出されている。また、本実施形態におけるディファレンシャルギア２４は、車両１０の車両幅方向の中央よりもやや車両右側へオフセットされた位置に設けられている。
【００３２】
次に、ダッシュＲＦ３６及びダッシュＲＦ３７について説明する。ダッシュＲＦ３６は、車両幅方向の中央よりもやや車両左側にオフセットされた位置に設けられており、車両上方側から見た断面形状が車両前方側に凸状となる略ハット状とされている。そして、このダッシュＲＦ３６の車両幅方向両端部のフランジ部分がダッシュパネル２６に重ね合わされた状態で溶接などによって接合されている。
【００３３】
ダッシュＲＦ３７は、車両幅方向の中央よりもやや車両右側にオフセットされた位置に設けられており、車両上方側から見た断面形状が車両前方側に凸状となる略ハット状とされている。また、ダッシュＲＦ３７は、ダッシュＲＦ３６と略同じ形状とされており、車両上方側から見た断面形状が車両前方側に凸状となる略ハット状とされている。そして、このダッシュＲＦ３７の車両幅方向両端部のフランジ部分がダッシュパネル２６に重ね合わされた状態で溶接などによって接合されている。
【００３４】
以上のように、ダッシュＲＦ３６及びダッシュＲＦ３７は、ワイヤハーネス３８を挟むように左右に設けられており、ダッシュＲＦ３６とダッシュパネル２６とで閉断面が構成され、ダッシュＲＦ３７とダッシュパネル２６とで閉断面が構成されている。
【００３５】
さらに、ダッシュＲＦ３６とダッシュＲＦ３７とは、車両前後方向に略同じ突出量とされている。すなわち、ダッシュＲＦ３６の車両前方側への突出量と、ダッシュＲＦ３７の車両前方側への突出量とが略同じ突出量とされている。
【００３６】
さらにまた、図１に示されるように、ダッシュＲＦ３６及びダッシュＲＦ３７は、ダッシュパネル２６に沿って車両上下方向に延在されており、本実施形態では一例として、ダッシュパネル２６の上端部からダッシュパネル２６の下端部まで延在されている。そして、このダッシュパネル２６の車両下方側には、図示しないダッシュクロスメンバが設けられている。
【００３７】
（作用）
次に、本実施形態の作用を説明する。
【００３８】
本実施形態の車両前部構造では、ダッシュパネル２６の前面にダッシュＲＦ３６及びダッシュＲＦ３７が設けられている。そして、ダッシュＲＦ３６とダッシュパネル２６とで閉断面が構成されており、ダッシュＲＦ３７とダッシュパネル２６とで閉断面が構成されている。このように、ダッシュＲＦ３６及びダッシュＲＦ３７とダッシュパネル２６とで閉断面を構成することで、ダッシュパネル２６を補強することができる。
【００３９】
特に、本実施形態では、ダッシュＲＦ３６及びダッシュＲＦ３７がそれぞれダッシュパネル２６に沿って車両上下方向に延在されているため、ダッシュＲＦ３６及びダッシュＲＦ３７が局所的に設けられた構造と比較して、ダッシュパネル２６の剛性を向上させることができる。この結果、前面衝突時にダッシュパネル２６が変形してキャビンへ進入するのを抑制することができる。
【００４０】
また、本実施形態では、ワイヤハーネス３８を挟むように一対のダッシュＲＦ３６及びダッシュＲＦ３７が設けられているため、前面衝突時にモータ２０を含むトランスアクスル１９が車両後方側へ移動した場合であっても、ダッシュＲＦ３６及びダッシュＲＦ３７でトランスアクスル１９を受けることができる。この結果、モータ２０とダッシュパネル２６との間に空間を確保することができ、前面衝突時にワイヤハーネス３８がモータ２０とダッシュパネル２６とに挟まれるのを抑制することができる。この作用について、以下に詳細に説明する。
【００４１】
図２に示されるように、衝突前の通常の状態では、モータ２０を含むトランスアクスル１９がダッシュパネル２６に対して間隔あけて車両前方側に配置されている。そして、ワイヤハーネス３８は、ダッシュパネル２６とモータ２０との間の空間に配索されており、モータ２０と干渉しないように構成されている。
【００４２】
この状態から、車両１０が前面衝突した場合、図３の矢印で示すように、トランスアクスル１９が車両前方側からの衝突荷重を受けて車両後方側へ移動することがある。このとき、トランスアクスル１９の車両右側は、減速機構２２がダッシュパネル２６に接触する前にダッシュＲＦ３７に接触する。すなわち、ダッシュＲＦ３７で減速機構２２を受ける。
【００４３】
一方、トランスアクスル１９の車両左側は、モータ２０がダッシュパネル２６に接触する前にダッシュＲＦ３６がモータ２０に接触する。すなわち、ダッシュＲＦ３６でモータ２０を受ける。これにより、平面視でモータ２０（トランスアクスル１９）とダッシュパネル２６との間には、空間が確保されており、この空間にワイヤハーネス３８が配索されている。これにより、前面衝突時にモータ２０からワイヤハーネス３８を保護することができる。
【００４４】
特に、本実施形態では、ダッシュパネル２６の剛性を高めるために設けたダッシュＲＦ３６及びダッシュＲＦ３７を利用してワイヤハーネス３８の配索空間を形成している。これにより、他の専用の部材をトランスアクスル１９に取り付けるなどしてワイヤハーネス３８を保護する構造と比較して、部品点数を削減することができる。
【００４５】
また、本実施形態では、ダッシュＲＦ３６及びダッシュＲＦ３７の車両前方側への突出量が略同じ突出量となっている。これにより、前面衝突時にダッシュＲＦ３６とモータ２０とが接触するタイミングと、ダッシュＲＦ３７とモータ２０とが接触するタイミングを略同じタイミングとすることができる。この結果、衝突荷重をダッシュＲＦ３６及びダッシュＲＦ３７に分散させることができる。
【００４６】
また、ダッシュＲＦ３６及びダッシュＲＦ３７の一方が先に接触した場合、トランスアクスル１９が平面視で回動することが考えられるが、本実施形態では、ダッシュＲＦ３６及びダッシュＲＦ３７が同じタイミングでトランスアクスル１９に接触するように構成したので、モータ２０を含むトランスアクスル１９の平面視での回動を抑制することができる。
【００４７】
以上、実施形態について説明したが、本発明の要旨を逸脱しない範囲において、種々なる態様で実施し得ることは勿論である。例えば、上記実施形態では、トランスアクスル１９の車両右側にディファレンシャルギア２４を設けたが、これに限定されない。すなわち、トランスアクスル１９の車両左側にディファレンシャルギア２４を設けてもよい。
【００４８】
また、上記実施形態では、トランスアクスル１９の車両前方側にディファレンシャルギア２４を設けたが、これに限定されない。例えば、トランスアクスル１９の車両後方側にディファレンシャルギア２４を設けてもよい。この場合、車両前後方向から見てダッシュＲＦ３６及びダッシュＲＦ３７と重ならない位置にディファレンシャルギア２４を設けることで、トランスアクスル１９が車両後方側へ移動した場合であってもディファレンシャルギア２４とダッシュＲＦ３６及びダッシュＲＦ３７とが接触しないため、好ましい。
【００４９】
さらに、上記実施形態では、ダッシュＲＦ３６及びダッシュＲＦ３７をダッシュパネル２６の上端部から下端部まで延在させたが、これに限定されない。例えば、ダッシュパネル２６の上端部から下端部までの一部の領域のみに補強部材を設けてもよい。この場合であっても、モータ２０の車両後方側に補強部材が位置していれば、前面衝突時に補強部材でモータ２０を受けることができる。また例えば、ダッシュＲＦ３６及びダッシュＲＦ３７の車両上下方向の長さを異なる長さに形成してもよい。
【００５０】
また、上記実施形態では、２つの補強部材（ダッシュＲＦ３６、ダッシュＲＦ３７）を設けたが、これに限定されず、３つ以上の補強部材を設けてもよい。
【００５１】
さらにまた、上記実施形態では、補強部材として、ダッシュパネル２６とで閉断面を構成するダッシュＲＦ３６及びダッシュＲＦ３７を設けたが、これに限定されない。例えば、ダッシュパネル２６の前面に開断面の補強部材を設けてもよい。また、筒状の補強部材や中実の補強部材をダッシュパネル２６の前面に設けてもよい。
【符号の説明】
【００５２】
２０      モータ
２６      ダッシュパネル
３４      バッテリ
３６      ダッシュリインフォースメント（補強部材）
３７      ダッシュリインフォースメント（補強部材）
３８      ワイヤハーネス
【図１】
2020026220.tif 000003
【図２】
2020026220.tif 000004
【図３】
2020026220.tif 000005